(57)【要約】【課題】本発明は、水上で行うバスケットボールゲームで使用する水上バスケットゴールに関する。【解決手段】本発明は、内部中央に孔を穿設し上面の外周面から孔に向かって鋭角に傾斜した外傾斜と外傾斜の内周から孔に向かって緩やかに傾斜した内傾斜を形成し、底面に正三角形の頂点の位置関係で３つの連結孔を穿設しネットを取付けた環状のゴールリングと、各連結孔に挿通される円柱のポールと、中央に凹部を設け底面に緩やかに脹らんだ湾曲部を形成し上面に正三角形の位置関係でポールの下部を挿通する下面中央に水抜き孔を穿設した３つの連結孔を設けた側面が末広がりの土台本体からなるフロート部と、Ｌ字孔を上面から側面にかけて貫通させた凸部を中央上面に設けた吸盤を両端に複数の孔を穿設した連結部材の両端に連結フックを介して取り付け一方の吸盤をフロート部に吸着させ他方をプールの壁等に吸着させる連結具とからなる水上バスケットゴールである。【選択図】図１
2008012104.tif 000002
【特許請求の範囲】
【請求項１】
内部中央に孔を穿設し上面の外周面から前記孔に向かって鋭角に傾斜した外傾斜と外傾斜の内周から孔に向かって緩やかに傾斜した内傾斜を形成し、底面に正三角形の頂点の位置関係で３つの連結孔を穿設しネットを取付けた環状のゴールリングと、前記各連結孔に挿通される円柱のポールと、中央に凹部を設け底面に緩やかに脹らんだ湾曲部を形成し上面に正三角形の位置関係で前記ポールの下部を挿通する下面中央に水抜き孔を穿設した３つの連結孔を設けた側面が末広がりの土台本体からなるフロート部と、Ｌ字孔を上面から側面にかけて貫通させた凸部を中央上面に設けた吸盤を両端に複数の孔を穿設した連結部材の両端に連結フックを介して取り付け一方の吸盤を前記フロート部に吸着させ他方をプールの壁等に吸着させる連結具とからなることを特徴とする水上バスケットゴール。
【請求項２】
内部中央に孔を穿設し上面の外周面から前記孔に向かって鋭角に傾斜した外傾斜と外傾斜の内周から孔に向かって緩やかに傾斜した内傾斜を形成し、底面に正三角形の頂点の位置関係で３つの連結孔を穿設しビニールシートを取付けた環状のゴールリングとからなることを特徴とする請求項１に記載の水上バスケットゴール。
【請求項３】
内部中央に孔を穿設し上面の外周面から前記孔に向かって鋭角に傾斜した外傾斜と外傾斜の内周から孔に向かって緩やかに傾斜した内傾斜を形成し、底面に正三角形の頂点の位置関係で３つの連結孔を穿設した環状のゴールリングとからなることを特徴とする請求項１又は請求項２に記載の水上バスケットゴール。
【発明の詳細な説明】
【技術分野】
【０００１】
本発明は、水上で行うバスケットボールゲームで使用する水上バスケットゴールに関する発明である。
【背景技術】
【０００２】
従来、水中で行うバスケットボールゲームで使用されているバスケットゴールはフロート上に高さが１ｍ程度のポールを立てポールの上部にゴールを備えたものであった。
【０００３】
しかしながら、従来の水上バスケットゴールは、水上に設置した際に水面からゴールの高さが１ｍ程と低く、背の高い人では簡単に手が届いてしまい実際に地上で行うバスケットの難しさを再現することができず娯楽的要素が強いものであった。
【０００４】
そのため、アクアビクスやアクアサイズなど水中でのダイエット等を目的とした場合に使用されることが多く、本格的な試合を行うために転用できなかった。
【０００５】
また、バスケットゴールを水上の一定の位置でとどめておくためには、錘を付けたりロープで括りつけたりしなければならず、水中で錘にぶつかったりロープに首など体を絡めてしまうことがあり危険なものであった。
【特許文献１】実開平０３−１１８７７６号公報
【発明の開示】
【発明が解決しようとする課題】
【０００６】
そこで、本発明は、容易に組み立てることができ、地上で行うバスケットボールの難しさを水中で再現することができ、アクアサイズ等の娯楽的使用から本格的な試合まで幅広く使用することができ、更に水上の一定の位置で安全にとどめておくことが可能な水上バスケットゴールを提供することを目的とするものである。
【課題を解決するための手段】
【０００７】
本発明は、上記の課題を解決するために、内部中央に孔２ｃを穿設し上面の外周面から前記孔２ｃに向かって鋭角に傾斜した外傾斜２ａと外傾斜２ａの内周から孔２ｃに向かって緩やかに傾斜した内傾斜２ｂを形成し、底面に正三角形の頂点の位置関係で３つの連結孔２ｆ、２ｆ、２ｆを穿設しネット２ｅを取付けた環状のゴールリング２と、前記各連結孔２ｆに挿通される円柱のポール３、３、３と、中央に凹部４ｂを設け底面に緩やかに脹らんだ湾曲部４ｃを形成し上面に正三角形の位置関係で前記ポール３の下部を挿通する下面中央に水抜き孔４ｅを穿設した３つの連結孔４ｄ、４ｄ、４ｄを設けた側面が末広がりの土台本体４ａからなるフロート部４と、Ｌ字孔５ｃを上面から側面にかけて貫通させた凸部５ｂを中央上面に設けた吸盤５ａを両端に複数の孔５ｆを穿設した連結部材５ｅの両端に連結フック５ｄを介して取り付け一方の吸盤５ａを前記フロート部４に吸着させ他方をプール６の壁等に吸着させる連結具５とからなることを特徴とする水上バスケットゴール１の構成、  内部中央に孔２ｃを穿設し上面の外周面から前記孔２ｃに向かって鋭角に傾斜した外傾斜２ａと外傾斜２ａの内周から孔２ｃに向かって緩やかに傾斜した内傾斜２ｂを形成し、底面に正三角形の頂点の位置関係で３つの連結孔２ｆ、２ｆ、２ｆを穿設しビニールシート２ｇを取付けた環状のゴールリング２とからなることを特徴とする水上バスケットゴール１ａの構成及び内部中央に孔２ｃを穿設し上面の外周面から前記孔２ｃに向かって鋭角に傾斜した外傾斜２ａと外傾斜２ａの内周から孔２ｃに向かって緩やかに傾斜した内傾斜２ｂを形成し更に底面に正三角形の頂点の位置関係で３つの連結孔２ｆ、２ｆ、２ｆを穿設した環状のゴールリング２とからなることを特徴とする水上バスケットゴール１ｂの構成とした。
【発明の効果】
【０００８】
本発明の水上バスケットゴールは、水面からバスケットゴールまでの高さが従来よりも高く設置されているため地上で行うバスケットボールの難しさを再現することができ、娯楽としての水上バスケットボールから本格的な水上バスケットボールの試合まで使用することができる。
【０００９】
また、フロート部に水を入れる孔を設けたことで孔に水を入れる量により、バスケットゴールの揺れ具合を変えることができ、ゴールにボールを投げ入れる難易度を調節することができる。
【００１０】
更に、専用の連結具を使用して本発明である水上バスケットゴールを水上の一定の位置でとどめておくことができるため本格的な水上バスケットボールの試合をすることができると同時に、専用の連結具が一定の力で切断される構造となっているため、使用中に体の一部や首などが絡まっても容易に取り除くことができて安全である。
【発明を実施するための最良の形態】
【００１１】
水上で娯楽的としてのバスケットボールから本格的なバスケットボールの試合まで幅広く対応することができ、更にバスケットゴールを水上の一定の位置で安全にとどめておくことができるという目的を、水入れ孔を備えたフロート部と容易に切断可能な連結具をとりつけることによって実現した。
【実施例１】
【００１２】
図１は本発明である水上バスケットゴールの斜視図、図２は水上バスケットゴールのＡ−Ａ線に沿った断面斜視図、図３は水上バスケットゴールの斜視分解図、図４はフロート部のＢ−Ｂ線に沿った断面図である。
【００１３】
図１から図３に示すように、本発明である水上バスケットゴール１は、内部中央に孔２ｃを穿設し上面の外周面から前記孔２ｃに向かって鋭角に傾斜した外傾斜２ａと外傾斜２ａの内周から孔２ｃに向かって緩やかに傾斜した内傾斜２ｂを形成し更に底面に正三角形の頂点の位置関係で３つの連結孔２ｆ、２ｆ、２ｆを穿設しネット２ｅを取付けた環状のゴールリング２と、前記各連結孔２ｆに挿通される円柱のポール３、３、３と、中央に凹部４ｂを設け底面に緩やかに脹らんだ湾曲部４ｃを形成し上面に正三角形の位置関係で前記ポール３の下部を挿通する下面中央に水抜き孔４ｅを穿設した３つの連結孔４ｄ、４ｄ、４ｄを設けた側面が末広がりの土台本体４ａからなるフロート部４と、Ｌ字孔５ｃを上面から側面にかけて貫通させた凸部５ｂを中央上面に設けた吸盤５ａを両端に複数の孔５ｆを穿設した連結部材５ｅの両端に連結フック５ｄを介して取り付け一方の吸盤５ａを前記フロート部４に吸着させ他方をプール６の壁等に吸着させる連結具５とからなる。
【００１４】
前記ゴールリング２の上面は外周面から内側に向かって角度が急な外傾斜２ａを形成し、更に外傾斜２ａの内周から内側に向かって角度が緩やかな内傾斜２ｂを形成し、中央に大きな孔２ｃが穿設されている。
【００１５】
前記外傾斜２ａ及び内傾斜２ｂを形成したことにより、ゴールリング２上にボールが載った際にボールは傾斜に導かれ中央の孔２ｃに落ちることができる。
【００１６】
前記ゴールリング２の底面のうち、孔２ｃの縁には複数のフック２ｄが取り付けられており、このフック２ｄにネット２ｅを取り付けている。このネット２ｅにより孔２ｃに入ったボールが下へ真っ直ぐ落ち、フロート部４の凹部４ｂ内に入る。このような構造とすることで、ゴールリング２を通ったボールをすぐに取り出すことができ、次のゲームをスムーズに行うことができる。
【００１７】
前記円柱状のポール３は、内部が中空となっており、上部は前記ゴールリング２の底面に穿設された連結孔２ｆに挿通され、下部は前記フロート部４の連結孔４ｄに挿通される。ポール３の内部が中空となっているため、連結孔２ｆ、４ｄに挿通する際に置くまでしっかりと挿入することができ、安全に連結することができる。
【００１８】
前記フロート部４に設けられた連結孔４ｄの底面中央には更に水抜き孔４ｅが穿設されており、この水抜き孔４ｅはフロート部４の底面に貫通している。水抜き孔４ｅを設けたことで連結孔４ｄ内に水６ａが入った場合に自然に水６ａを抜くことができ、更に連結孔４ｄにポール３を挿通する際にも空気を抜くことができるためしっかりとポール３を挿入することができる。
【００１９】
図４に示すように、フロート部４の上面中央には大きな凹部４ｂが設けられている。この凹部４ｂは前述のようにゴールリング２を通って落ちてきたボールを受けることができる。また、この凹部４ｂに水６ａを入れることにより水上バスケットゴール１自体が水上で安定し、水上での揺れを押さえることができる。
【００２０】
また、一方でフロート部４の底面は大きく湾曲しているため前記凹部４ｂに水６ａを入れない状態では、水６ａの影響を受けやすくなり、水上バスケットゴール１が大きく揺れることとなる。
【００２１】
以上のようにフロート部４の凹部４ｂに入れる水６ａの量を調節することで、水上バスケットゴール１の揺れ具合を調節することができる。大きく揺らすことで娯楽としての水上バスケットボールを楽しむこともでき、揺れを押さえて安定させ本格的な水上バスケットボールの試合を行うこともできる。
【００２２】
また、前記ポール３は通常ではおよそ２ｍ程度の長さであるため、本発明である水上バスケットゴール１を使用した場合、ゴールの高さは水面から２ｍ程度の位置にあるが、ポール３は容易に切断可能な素材でできているため、ポール３を任意の高さに切断し利用者や利用方法に応じてゴールの高さを変えることができる。
【００２３】
ポール３については、予め小学生用、中学生用、高校生用、大人用、アクアサイズ（水中で行うエクササイズ）用等を用意しておくと設置や調節を容易に行うことができる。
【００２４】
図５は本発明である水上バスケットゴールの連結具を示した図、図６は水上バスケットゴールの連結具が切断した状態を示した図、図７は本発明である水上バスケットゴールを使用した状態を示した図である。
【００２５】
図５及び図６に示すように、本発明で使用する連結具５は上部と側面をＬ字孔５ｃで貫通させた円柱状の凸部５ｂを中央正面に備えた吸盤５ａを連結フック５ｄを介して両端に連結した連結部材５ｅからなる。
【００２６】
前記連結部材５ｅは容易に変形可能な軟性の部材でできており、図５に示すように簡単に孔５ｆを設けることができる。連結部材５ｅの端に複数の孔５ｆを穿設し、任意の孔５ｆに連結フック５ｄを取付け、吸盤５ａと連結部材５ｅを連結する。
【００２７】
図７に示すように、一方の吸盤５ａはフロート部４の任意に場所に吸着させ、他方の吸盤５ａはプール６の壁などに吸着させることにより、水上バスケットゴール１を水上の一定の位置でとどめておくことができる。
【００２８】
図５から図７に示すように、連結部材５ｅの孔５ｆを設ける際に隣の孔５ｆとの間隔５ｇ、５ｈを変えることにより、連結部材５ｅの強度を調節することができる。即ち、間隔５ｇのように孔５ｆ同士を近づけた場合は連結部材５ｅの強度が弱くなり、少ない力で切断することができる。一方、間隔５ｈのように孔５ｆ同士を離した場合、間隔５ｇよりも強い力を加えなければ切断することはできない。符号５ｉは連結フック５ｄにより切断された連結部材５ｅの切断部５ｉを示している。
【００２９】
以上のように間隔５ｇ、５ｈを調節することにより、連結部材５ｅの強度を変えることができ、水上バスケットゴール１を使用中に連結部材５ｅに体の一部や首が絡まった場合でも連結フック５ｄが連結部材５ｅを切断するため利用者は安全に水上バスケットボールを楽しむことができる。
【実施例２】
【００３０】
図８は本発明である水上バスケットゴールの第２実施例の斜視図である。図８に示すように、本発明である水上バスケットゴール１ａは、前記実施例１の水上バスケットゴール１とほぼ同じである。
【００３１】
即ち、本発明である水上バスケットゴール１ａは、内部中央に孔２ｃを穿設し上面の外周面から前記孔２ｃに向かって鋭角に傾斜した外傾斜２ａと外傾斜２ａの内周から孔２ｃに向かって緩やかに傾斜した内傾斜２ｂを形成し更に底面に正三角形の頂点の位置関係で３つの連結孔２ｆ、２ｆ、２ｆを穿設しビニールシート２ｇを取付けた環状のゴールリング２と、前記各連結孔２ｆに挿通される円柱のポール３、３、３と、中央に凹部４ｂを設け底面に緩やかに脹らんだ湾曲部４ｃを形成し上面に正三角形の位置関係で前記ポール３の下部を挿通する下面中央に水抜き孔４ｅを穿設した３つの連結孔４ｄ、４ｄ、４ｄを設けた側面が末広がりの土台本体４ａからなるフロート部４と、Ｌ字孔５ｃを上面から側面にかけて貫通させた凸部５ｂを中央上面に設けた吸盤５ａを両端に複数の孔５ｆを穿設した連結部材５ｅの両端に連結フック５ｄを介して取り付け一方の吸盤５ａを前記フロート部４に吸着させ他方をプール６の壁等に吸着させる連結具５とからなる。
【００３２】
前述のように、ゴールリング２の底面に取り付けられていたネット２ｅの代わりに三角形上のビニールシート２ｇを複数取付け、ゴールリング２を通り抜けたボールが下へ真っ直ぐ落ちる構造とした。
【実施例３】
【００３３】
図９は本発明である水上バスケットゴールの第３実施例の斜視図である。図９に示すように、本発明である水上バスケットゴール１ｂは、前記実施例１及び実施例２で示した水上バスケットゴール１、１ａとほぼ同じである。
【００３４】
即ち、本発明である水上バスケットゴール１ｂは、内部中央に孔２ｃを穿設し上面の外周面から前記孔２ｃに向かって鋭角に傾斜した外傾斜２ａと外傾斜２ａの内周から孔２ｃに向かって緩やかに傾斜した内傾斜２ｂを形成し更に底面に正三角形の頂点の位置関係で３つの連結孔２ｆ、２ｆ、２ｆを穿設した環状のゴールリング２と、前記各連結孔２ｆに挿通される円柱のポール３、３、３と、中央に凹部４ｂを設け底面に緩やかに脹らんだ湾曲部４ｃを形成し上面に正三角形の位置関係で前記ポール３の下部を挿通する下面中央に水抜き孔４ｅを穿設した３つの連結孔４ｄ、４ｄ、４ｄを設けた側面が末広がりの土台本体４ａからなるフロート部４と、Ｌ字孔５ｃを上面から側面にかけて貫通させた凸部５ｂを中央上面に設けた吸盤５ａを両端に複数の孔５ｆを穿設した連結部材５ｅの両端に連結フック５ｄを介して取り付け一方の吸盤５ａを前記フロート部４に吸着させ他方をプール６の壁等に吸着させる連結具５とからなる。
【００３５】
前述のように、ゴールリング２の底面に取り付けられていたネット２ｅ又はビニールシート２ｇを設けていない構造であるが、ゴールリング２を通り抜けたボールが下へ真っ直ぐ落ちる構造には変わりない。
【図面の簡単な説明】
【００３６】
【図１】本発明である水上バスケットゴールの斜視図である。
【図２】本発明である水上バスケットゴールのＡ−Ａ線に沿った断面斜視図である。
【図３】本発明である水上バスケットゴールの斜視分解図である。
【図４】本発明である水上バスケットゴールのフロート部のＢ−Ｂ線に沿った断面図である。
【図５】本発明である水上バスケットゴールの連結具を示した図である。
【図６】本発明である水上バスケットゴールの連結具が切断した状態を示した図である。
【図７】本発明である水上バスケットゴールを使用した状態を示した図である。
【図８】本発明である水上バスケットゴールの第２実施例の斜視図である。
【図９】本発明である水上バスケットゴールの第３実施例の斜視図である。
【符号の説明】
【００３７】
１      水上バスケットゴール
１ａ    水上バスケットゴール
１ｂ    水上バスケットゴール
２      ゴールリング
２ａ    外傾斜
２ｂ    内傾斜
２ｃ    孔
２ｄ    フック
２ｅ    ネット
２ｆ    連結孔
２ｇ    ビニールシート
３      ポール
４      フロート部
４ａ    土台本体
４ｂ    凹部
４ｃ    湾曲部
４ｄ    連結孔
４ｅ    水抜き孔
５      連結具
５ａ    吸盤
５ｂ    凸部
５ｃ    Ｌ字孔
５ｄ    連結フック
５ｅ    連結部材
５ｆ    孔
５ｇ    間隔
５ｈ    間隔
５ｉ    切断部
６      プール
６ａ    水
【図１】
2008012104.tif 000003
【図２】
2008012104.tif 000004
【図３】
2008012104.tif 000005
【図４】
2008012104.tif 000006
【図５】
2008012104.tif 000007
【図６】
2008012104.tif 000008
【図７】
2008012104.tif 000009
【図８】
2008012104.tif 000010
【図９】
2008012104.tif 000011